(57)【要約】  より適切に局間リンクを管理できるサーバ装置であって、無線アクセスネットワークに接続され、自装置が管理する基地局である管理内基地局について、管理内基地局と無線接続する携帯端末のハンドオーバ先となる基地局が登録されたリストであるハンドオーバリストを記憶する記憶部と、基地局間の通信リンクである局間リンクを管理内基地局と確立している他の基地局がハンドオーバリストに登録されているか否かを判定することで、確立されている局間リンクを維持するか切断するかを決定する制御部と、を有する。
2015186277.tif 000002
【特許請求の範囲】
【請求項１】
無線アクセスネットワークに接続され、自装置が管理する基地局である管理内基地局について、該管理内基地局と無線接続する携帯端末のハンドオーバ先となる基地局が登録されたリストであるハンドオーバリストを記憶する記憶部と、
基地局間の通信リンクである局間リンクを該管理内基地局と確立している他の基地局が前記ハンドオーバリストに登録されているか否かを判定することで、確立されている局間リンクを維持するか切断するかを決定する制御部と、
を有するサーバ装置。
【請求項２】
請求項１に記載のサーバ装置において、
前記無線アクセスネットワークに第１および第２の前記管理内基地局が接続され、
前記制御部は、
前記第１および第２の管理内基地局の間で局間リンクが確立していることを認識すると、前記第１の管理内基地局のハンドオーバリストに前記第２の管理内基地局が登録されているか否かをチェックする第１のチェックを行い、
前記第２の管理内基地局のハンドオーバリストに前記１の管理内基地局が登録されているか否かをチェックする第２のチェックを行い、
前記第１および第２のチェックの結果、前記第１および第２の管理内基地局のそれぞれのハンドオーバリストに相手の基地局が登録されていない場合、前記第１および第２の管理内基地局の間で確立している局間リンクを切断し、前記第１および第２の管理内基地局のうち、少なくとも一方の管理内基地局のハンドオーバリストに他方の管理内基地局が登録されている場合、該局間リンクを維持する、サーバ装置。
【請求項３】
請求項１に記載のサーバ装置において、
前記無線アクセスネットワークに自装置の管理対象外の基地局である管理外基地局が接続され、
前記制御部は、
前記管理外基地局と前記管理内基地局との間に局間リンクが確立していることを認識すると、前記管理内基地局のハンドオーバリストに前記管理外基地局が登録されているか否かをチェックする第１のチェックを行い、
前記管理外基地局のハンドオーバ先となる基地局の情報を含む隣接セル情報を前記管理内基地局を介して該管理外基地局から取得し、該隣接セル情報に該管理内基地局が登録されているか否かをチェックする第２のチェックを行い、
前記第１および第２のチェックの結果、前記管理内基地局のハンドオーバリストおよび前記管理外基地局の隣接セル情報の両方とも相手の基地局が登録されていない場合、該管理内基地局および該管理外基地局の間で確立している局間リンクを切断し、前記管理内基地局のハンドオーバリストおよび前記管理外基地局の隣接セル情報のうち、少なくとも一方に相手の基地局が登録されている場合、該局間リンクを維持する、サーバ装置。
【請求項４】
無線アクセスネットワーク内における、自局と無線で接続される携帯端末のハンドオーバ先となる基地局が登録されたリストであるハンドオーバリストを記憶する記憶部と、
自局と局間リンクを確立している他の基地局が前記ハンドオーバリストに含まれているか否かを判定することで、確立されている局間リンクを維持するか切断するかを決定する制御部と、
を有する基地局。
【請求項５】
無線アクセスネットワークに接続される基地局を管理するサーバ装置による情報処理方法であって、
自装置が管理する基地局である管理内基地局と無線接続する携帯端末のハンドオーバ先となる基地局が登録されたリストであるハンドオーバリストを読み出し、
基地局間の通信リンクである局間リンクを前記管理内基地局と確立している他の基地局が前記ハンドオーバリストに登録されているか否かを判定することで、確立されている局間リンクを維持するか切断するかを決定する、情報処理方法。
【請求項６】
無線アクセスネットワークに接続される基地局を管理するコンピュータに、
自装置が管理する基地局である管理内基地局と無線接続する携帯端末のハンドオーバ先となる基地局が登録されたリストであるハンドオーバリストを読み出す手順と、
基地局間の通信リンクである局間リンクを前記管理内基地局と確立している他の基地局が前記ハンドオーバリストに登録されているか否かを判定することで、確立されている局間リンクを維持するか切断するかを決定する手順を実行させるためのプログラムを記憶する記憶媒体。
【発明の詳細な説明】
【技術分野】
【０００１】
本開示は、移動通信システムにおける基地局、サーバ装置、情報処理方法、および記憶媒体に関する。
【背景技術】
【０００２】
移動通信システムの無線アクセスネットワークに用いられる技術の１つとして、ＬＴＥ（Long Term Evolution）システムが実用化されている。このＬＴＥシステムにおけるハンドオーバについて簡単に説明する。
図１０は関連するＬＴＥシステムを含む通信ネットワークを説明するための図である。
無線アクセスネットワークは、コアネットワークと接続されている。無線アクセスネットワークにおいて、ＬＴＥシステムに対応した基地局であるｅＮＢ（evolutional Node B）１０１〜１０３が設けられている。コアネットワークには、ｅＮＢを収容するコアネットワーク系の装置であるＭＭＥ（Mobile Management Entity）２１、２２が設けられている。
図１０では、ｅＮＢ１０２とｅＮＢ１０３との間の通信リンクである局間リンクが確立されている場合を示す。この局間リンクは「Ｘ２インタフェース」または「Ｘ２リンク」と呼ばれており、以下では、「Ｘ２リンク」と称する。
また、図１０に示す例では、コアネットワーク側のＭＭＥ２１とｅＮＢ１０１との間の通信リンクであるコア−局間リンクが確立されている場合を示す。このコア−局間リンクは「Ｓ１インタフェース」または「Ｓ１リンク」と呼ばれており、以下では、「Ｓ１リンク」と称する。図１０は、ＭＭＥ２１とｅＮＢ１０２の間にもＳ１リンクが確立されている様子と、ｅＮＢ１０２およびｅＮＢ１０３のそれぞれとＭＭＥ２２との間にもＳ１リンクが確立されている様子を示している。また、図１０は、ＵＥ(User Equipment、携帯端末)３１がｅＮＢ１０２の通信セルからｅＮＢ１０１の通信セルに移動し、ＵＥ３２がｅＮＢ１０２の通信セルからｅＮＢ１０３の通信セルに移動する様子を示す。【０００３】
図１１は図１０に示したｅＮＢ間におけるハンドオーバの手順を示すシーケンスである。ここでは、図１０に示したようにｅＮＢ間（ｅＮＢ１０２およびｅＮＢ１０３の間）にＸ２リンクが確立されている場合で説明する。
ｅＮＢ間でやりとりされるハンドオーバは、ｅＮＢ１０２が、ｅＮＢ１０３にハンドオーバ要求（HANDOVER REQUEST）を送信し、ｅＮＢ１０３からハンドオーバ要求確認（HANDOVER REQUEST ACKNOWLEDGE）を受信することで行われる（非特許文献１参照）。【０００４】
Ｘ２リンクがｅＮＢ間で確立されている場合、上述のようにして、ｅＮＢ間でＵＥがハンドオーバするときにＸ２リンクを用いてｅＮＢ間で情報を交換することにより、ハンドオーバが可能となる。一方のｅＮＢとハンドオーバ先となる他方のｅＮＢとの間にＸ２リンクが確立されていない場合、これら２つのｅＮＢはＳ１リンク経由で情報交換する必要がある。この場合、ハンドオーバに要する時間が増加し、かつ、コアネットワーク側のＭＭＥに対する負担が増加する。【０００５】
３ＧＰＰ（3rd Generation Partnership Project）で議論されているＳＯＮ（Self- Organizing Network）機能のうち、ＡＮＲ(Automatic Neighbor Relation)という機能がある(非特許文献２参照)。ＳＯＮ機能は自動的に基地局のパラメータを最適に設定するための機能である。ＡＮＲ機能は、ｅＮＢの隣接関係の管理に発生する、オペレータの負担を軽減することを目的とするものである。ＡＮＲ機能には、近隣に存在する他のｅＮＢ、つまり、隣接（Neighbor）ｅＮＢをＮＲＴ（Neighbor Relation Table）で管理し、隣接ｅＮＢを検知すると、その隣接ｅＮＢをＮＲＴに追加する機能がある。このＡＮＲ機能により、ｅＮＢが新たな隣接ｅＮＢを検出すると、その隣接ｅＮＢとの間にＸ２リンクを確立することが期待されている。【０００６】
しかし、実際のネットワークにおいては、１台のｅＮＢが確立可能なＸ２リンクの数には実装上の制限がある。このため、該ｅＮＢが、ＡＮＲ機能で検知された全てのｅＮＢと無尽蔵にＸ２リンクを確立することは不可能である。そのため、ｅＮＢで確立可能なＸ２リンク数が上限に達している場合、新規にＸ２リンクを確立することができなくなる。その結果、Ｓ１リンク経由でハンドオーバが頻繁に行われ、コアネットワークへの負担を増加させてしまうことになる。また、ｅＮＢを管理するＥＭＳ（Element Management System）が設けられている場合、不要なＸ２リンクを確立したままにすると、ＥＭＳへの負担を増加させてしまう。【０００７】
不要なＸ２リンクを削除する方法の一例が特許文献１に開示されている。特許文献１において、ソースｅＮＢは、ターゲットｅＮＢに対応するハンドオーバ発生数を取得し、そのハンドオーバ発生数を所定の閾値と比較する。その結果、ハンドオーバ発生数が所定閾値未満である場合、ソースｅＮＢは、ターゲットｅＮＢとのハンドオーバの発生頻度が低くなったと判断し、両者間のＸ２インタフェースを解除させる。
なお、特許文献２では、隣接ｅＮＢ間におけるハンドオーバ時に、Ｘ２インタフェースを介してユーザ（Ｕ−Ｐｌａｎｅ）信号や制御（Ｃ−Ｐｌａｎｅ）信号の転送を直接行うことが開示されている。また、第２の基地局が、第１の基地局からブロードキャストパケットを受信し、受信したパケットに含まれる位置情報及び無線サービスエリアの半径情報と、自局の位置情報及び無線サービスエリアの半径情報とに基づき無線サービスエリア間の隣接条件を判定し、この隣接条件を満足した第１、第２の基地局間でリンクを確立する。
【先行技術文献】
【特許文献】
【０００８】
【特許文献１】特開２０１０−２３３１４４号公報
【特許文献２】特開２００９−０４４３３６号公報
【非特許文献】
【０００９】
【非特許文献１】３ＧＰＰ  ＴＳ３６．４２３（８．２．１  Ｈａｎｄｏｖｅｒ  Ｐｒｅｐａｒａｔｉｏｎ）Ｖｅｒｓｉｏｎ  １２．１．０
【非特許文献２】３ＧＰＰ  ＴＳ３６．３００（２２．３．２ａ  Ａｕｔｏｍａｔｉｃ  Ｎｅｉｇｈｂｏｕｒ  Ｒｅｌａｔｉｏｎ  Ｆｕｎｃｔｉｏｎ）Ｖｅｒｓｉｏｎ  １２．１．０
【発明の概要】
【発明が解決しようとする課題】
【００１０】
特許文献１に開示された方法は、ハンドオーバ発生数と閾値とを比較して、Ｘ２リンクを解除するか否かを判定するものである。特許文献１に開示された方法では、各ターゲットｅＮＢに対応して、ハンドオーバの発生回数をカウントし、カウントされた値が、ハンドオーバ発生数テーブルに記録されている。ターゲットｅＮＢ毎にハンドオーバ発生回数をカウントして記録する処理を行うと、複雑な処理を実施することになり、処理にかかる負荷が高い。そのため、例えば、多数の基地局が存在し、セルの重複関係が複雑な状況下においては、システム全体の負荷がきわめて高くなる。この場合、そのようなシステムを管理する装置、例えば、ＥＭＳへの負荷が問題になる。【００１１】
本発明の例示的な実施形態の目的は、上述したような技術が有する問題点を解決するためになされたものであり、より適切に局間リンクを管理できるサーバ装置、基地局、情報処理方法および記憶媒体を提供することにある。なお、この目的は、本明細書に開示される実施形態が達成しようとする複数の目的の１つに過ぎないことに留意されるべきである。その他の目的又は課題と新規な特徴は、本明細書の記述又は添付図面から明らかにされる。
【課題を解決するための手段】
【００１２】
例示的な実施形態のサーバ装置は、
無線アクセスネットワークに接続され、自装置が管理する基地局である管理内基地局について、該管理内基地局と無線接続する携帯端末のハンドオーバ先となる基地局が登録されたリストであるハンドオーバリストを記憶する記憶部と、
基地局間の通信リンクである局間リンクを該管理内基地局と確立している他の基地局が前記ハンドオーバリストに登録されているか否かを判定することで、確立されている局間リンクを維持するか切断するかを決定する制御部と、
を有する構成である。【００１３】
また、例示的な実施形態の基地局は、
無線アクセスネットワーク内における、自局と無線で接続される携帯端末のハンドオーバ先となる基地局が登録されたリストであるハンドオーバリストを記憶する記憶部と、
自局と局間リンクを確立している他の基地局が前記ハンドオーバリストに含まれているか否かを判定することで、確立されている局間リンクを維持するか切断するかを決定する制御部と、
を有する構成である。【００１４】
また、例示的な実施形態の情報処理方法は、無線アクセスネットワークに接続される基地局を管理するサーバ装置による情報処理方法であって、
自装置が管理する基地局である管理内基地局と無線接続する携帯端末のハンドオーバ先となる基地局が登録されたリストであるハンドオーバリストを記憶部に保存し、
基地局間の通信リンクである局間リンクを前記管理内基地局と確立している他の基地局が前記ハンドオーバリストに登録されているか否かを判定することで、確立されている局間リンクを維持するか切断するかを決定するものである。【００１５】
さらに、例示的な実施形態の記憶媒体は、無線アクセスネットワークに接続される基地局を管理するコンピュータに、
自装置が管理する基地局である管理内基地局と無線接続する携帯端末のハンドオーバ先となる基地局が登録されたリストであるハンドオーバリストを保存する手順と、
基地局間の通信リンクである局間リンクを前記管理内基地局と確立している他の基地局が前記ハンドオーバリストに登録されているか否かを判定することで、確立されている局間リンクを維持するか切断するかを決定する手順を実行させるためのプログラムを記憶する記憶媒体である。
【発明の効果】
【００１６】
本発明の例示的な実施形態によれば、より適切に局間リンクを管理できる。
【図面の簡単な説明】
【００１７】
【図１】第１の例示的な実施形態におけるＬＴＥシステムを含む通信ネットワークの一構成例を示す図である。
【図２】図１に示したＥＭＳサーバの一構成例を示すブロック図である。
【図３】図１に示したＥＭＳサーバに格納されるＨＯ（Handover）リストの一構成例を示す図である。
【図４】図１に示した基地局の一構成例を示すブロック図である。
【図５】図１に示したＬＴＥシステムにおける基地局間でＸ２リンクを確立する手順を示すシーケンスである。
【図６】第１の例示的な実施形態において、ＥＭＳサーバが不要なＸ２リンクを切断する手順を示すフローチャートである。
【図７】第３の例示的な実施形態のＥＭＳサーバの動作手順を示すフローチャートである。
【図８】第４の例示的な実施形態のＥＭＳサーバに格納される隣接セル情報の一例を示す図である。
【図９】第４の例示的な実施形態のＥＭＳサーバの動作手順を示すフローチャートである。
【図１０】関連するＬＴＥシステムを含む通信ネットワークを説明するための図である。
【図１１】図１０に示したｅＮＢ間におけるハンドオーバの手順を示すシーケンスである。
【図１２】第５の例示的な実施形態における動作を示すシーケンスである。
【発明を実施するための形態】
【００１８】
以下では、具体的な実施形態について、図面を参照しながら詳細に説明する。各図面において、同一又は対応する要素には同一の符号が付されており、説明の明確化のため、必要に応じて重複説明は省略される。
以下に説明される複数の実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
（第１の実施形態）
第１の例示的な（exemplary）実施形態におけるＬＴＥシステムの構成を説明する。図１は本実施形態におけるＬＴＥシステムを含む通信ネットワークの一構成例を示す図である。
図１に示すように、ＬＴＥシステムは、ｅＮＢ５１〜５３と、ｅＮＢ５１〜５３を管理する機器管理サーバ（以下では、ＥＭＳサーバと称する）１０ａ、１０ｂとを有する。図１に示す例では、ＥＭＳサーバ１０ａがｅＮＢ５１およびｅＮＢ５２を管理し、ＥＭＳサーバ１０ｂがｅＮＢ５３を管理しているものとする。以下では、ＥＭＳサーバが自装置で管理するｅＮＢを「管理内ｅＮＢ」と称し、自装置の管理対象外のｅＮＢを「管理外ｅＮＢ」と称する。図１の場合、例えば、ＥＭＳサーバ１０ａにとって、ｅＮＢ５１、５２は管理内ｅＮＢであるが、ｅＮＢ５３は管理外ｅＮＢである。
コアネットワーク側には、ＭＭＥ２１、２２が設けられている。図１に示す例では、ｅＮＢ５１、５２のそれぞれはＭＭＥ２１とＳ１リンクを確立し、ｅＮＢ５２、５３のそれぞれはＭＭＥ２２とＳ１リンクを確立している。また、ｅＮＢ５２はｅＮＢ５３とＸ２リンクを確立している。
【００１９】
本実施形態のＥＭＳサーバの構成を説明する。
なお、本実施形態では、ＥＭＳサーバに設けられた通常の機能（例えば、管理内ｅＮＢから通信状態のレポートを収集してネットワークの状態を把握する機能、基地局制御を含むネットワーク最適化を行う機能等）についての詳細な説明を省略する。
図２は図１に示したＥＭＳサーバの一構成例を示すブロック図である。図１に示したＥＭＳサーバ１０ａ、１０ｂは同様な構成を有しているため、ここでは、ＥＭＳサーバ１０ａの構成を説明する。また、ｅＮＢ５２はｅＮＢ５１およびｅＮＢ５３のそれぞれとＸ２リンクを確立しているものとする。
ＥＭＳサーバ１０ａは、記憶部１１と、制御部１２と、Ｉ／Ｆ部１３とを有する。記憶部１１には、データベースが構成されており、各ｅＮＢでＵＥがハンドオーバを行う際のハンドオーバ先を示すハンドオーバリスト（以下では、ＨＯリストと称する）が登録されている。また、制御部１２には、通常の機能の他に、ＨＯリストの管理（更新、追加、削除など）を行うＳＯＮ機能が追加されている。このＳＯＮ機能により、制御部１２は、管理内ｅＮＢ間のＸ２リンクや、管理内ｅＮＢと管理外ｅＮＢとの間のＸ２リンクが、ＵＥのハンドオーバ時に使用されるか否かを知ることが可能となる。以下に、図２に示す各構成について詳しく説明する。
【００２０】
記憶部１１は、ＨＤＤ（Hard Disk Drive）および半導体記憶モジュールなどのメモリによって構成される。記憶部１１は、管理内ｅＮＢに対する制御のために用いる各種情報を記憶する。例えば、記憶部１１には、ＥＭＳサーバによる管理内ｅＮＢの制御に必要なＨＯリストおよびｅＮＢ情報が格納される。ｅＮＢ情報は、例えば、管理内ｅＮＢに対応する、セルの無線通信品質の情報および無線通信品質を最適にするためのパラメータ設定値などである。
ここで、記憶部１１が記憶（または保持）するＨＯリストの構成を説明する。図３は本実施形態におけるＥＭＳサーバに格納されるＨＯリストの一構成例を示す図である。
図３に示すＨＯリストは、ＵＥから収集されるＭＲ（Measurement Report）に基づいて作成される。このＨＯリストがハンドオーバ先を示す情報のマスタとして記憶部１１に保存される。ＨＯリストが更新されると、その情報が制御部１２により各管理内ｅＮＢに通知され、各管理内ｅＮＢが保有するＨＯリストが更新される。
【００２１】
図３に示すように、ＨＯリストは、奉仕セル情報（Served Cell Info）と隣接セル情報（Neighbor cell info）の欄に分かれている。
奉仕セル情報の欄には、ＵＥにサービス提供中（ＵＥと通信接続中）の管理内ｅＮＢのセルに関する情報が登録される。隣接セル情報の欄には、ＵＥのハンドオーバ先となる隣接ｅＮＢのセルに関する情報が登録される。このように、記憶部１１に保存されるＨＯリストには、奉仕セル情報に登録された管理内ｅＮＢに対応して、ＵＥのハンドオーバ先となるｅＮＢについての隣接セル情報が登録されている。つまり、制御部１２が奉仕セル情報の欄で管理内ｅＮＢを特定すれば、特定した管理内ｅＮＢに対応する隣接セル情報を読み出すことで、その管理内ｅＮＢが保有するＨＯリストと同じものを閲覧することが可能となる。
各欄を詳しく見てみると、奉仕セル情報の欄には、管理内ｅＮＢに対応して、ｅＮＢ毎に異なる識別子であるｅＮＢ ＩＤと、セル毎に異なる識別子であるセルＩＤが登録される。図３に示す例では、奉仕セル情報の欄に、ＥＭＳサーバ１０ａの管理内ｅＮＢのＩＤとして「Ａ」〜「Ｃ」が記述されている。
隣接セル情報の欄には、ＥＣＧＩ（E-UTRAN Cell Global Identifier）、ＰＣＩ（Physical Cell Identifier）、ＥＡＲＦＣＮ（E-UTRA Absolute Radio Frequency Channel Number）、ＴＡＣ（Tracking Area Code）が記述される。ＥＣＧＩはグローバルでセルを特定するために使用されるＩＤである。ＰＣＩはＬＴＥ方式におけるセル識別用のＩＤである。ＥＡＲＦＣＮは、ＦＤＤ（Frequency Division Duplex）において与えられるアップリンク方向もしくはダウンリンク方向のための、またはＴＤＤ（Time Division Duplex）におけるアップリンクとダウンリンクの両方向のためのセルにおいて使用されるキャリヤ周波数を定義する項目である。ＴＡＣは、１つまたは複数のセルから構成され、ネットワーク上で管理される携帯端末の位置を示すセル単位をコード化したものである。
【００２２】
Ｉ／Ｆ部１３は、管理内ｅＮＢに相当するｅＮＢ５１およびｅＮＢ５２のそれぞれと通信を行う。Ｉ／Ｆ部１３は、管理内ｅＮＢから受信する情報を制御部１２に送信し、制御部１２から受け取る情報を制御部１２の指示にしたがって管理内ｅＮＢに送信する。
【００２３】
制御部１２は、プログラムを記憶するメモリ（不図示）、およびプログラムにしたがって処理を実行するＣＰＵ（Central Processing Unit）（不図示）を有する。ＣＰＵがプログラムにしたがって処理を実行することで、制御部１２において、ＳＯＮ機能を含む、ＥＭＳサーバが具備する各種機能が実行される。本実施形態では、制御部１２で実行されるＳＯＮ機能に、次のような機能が追加されている。
制御部１２は、ＵＥからｅＮＢに送信されるＭＲを自装置の管理内ｅＮＢから定期的に収集し、収集したＭＲの内容にしたがって、図３に示したＨＯリストを更新する。また、制御部１２は、各管理内ｅＮＢに対して、自局とＸ２リンクを確立している他のｅＮＢを問い合わせ、管理内ｅＮＢ毎にＸ２リンクを確立している他のｅＮＢの情報を収集する。
そして、制御部１２は、図３に示したＨＯリストを参照し（または読み出し）、管理内ｅＮＢが確立しているＸ２リンクが不要なＸ２リンクであるか否かを判定する。さらに、制御部１２は、その判定結果にしたがってＸ２リンクの切断または維持を決定する。
具体的に説明すると、制御部１２は、対象となる管理内ｅＮＢとＸ２リンクを確立している他のｅＮＢがＨＯリストにハンドオーバ先として登録されているか否かをチェックすることで、そのＸ２リンクを維持するか切断するかを決定する。チェックの結果、他のｅＮＢがＨＯリストにハンドオーバ先として登録されている場合、制御部１２は、Ｘ２リンクを維持するために、対象の管理内ｅＮＢに何も指示しない。その反対に、他のｅＮＢがＨＯリストのハンドオーバ先として登録されていない場合、制御部１２は、対象の管理内ｅＮＢにＸ２リンクを切断させる。
【００２４】
なお、制御部１２に設けられる演算処理デバイスはＣＰＵに限らず、ＤＳＰ（Digital Signal Processor）であってもよい。
【００２５】
次に、図１に示したｅＮＢ５１〜５３の構成を説明する。図４は本実施形態のＬＴＥシステムにおける基地局の一構成例を示すブロック図である。
ただし、ｅＮＢ５１〜５３は同様な構成なので、ここでは、ｅＮＢ５１の構成を説明し、他のｅＮＢの構成の説明を省略する。また、ｅＮＢとしての通常の機能についての詳細な説明を省略し、本発明に関連する部分について詳細に説明する。
図４に示すように、ｅＮＢ５１は、記憶部６１と、他のｅＮＢとＸ２リンクを確立する制御部６２と、他の装置と通信接続するためのＩ／Ｆ部６３とを有する。
記憶部６１は、ＨＯリストおよびＸ２情報を記憶する。ＨＯリストは、自局と無線接続するＵＥのハンドオーバ先となる基地局が記述されたリストである。Ｘ２情報はＸ２リンクを管理するための情報である。Ｘ２情報は、自局とＸ２リンクを確立する相手のｅＮＢとなる隣接ｅＮＢのＩＰ（Internet Protocol）アドレスと、その隣接ｅＮＢに対応する基地局識別子であるｅＮＢ ＩＤとを含む。また、Ｘ２情報には、自局と隣接ｅＮＢとの間にＸ２リンクが確立されているか否かの情報が記録され、その情報はＸ２リンクの確立および切断の状況に応じて制御部６２によって書き換えられる。
【００２６】
制御部６２は、プログラムを記憶するメモリ（不図示）、およびプログラムにしたがって処理を実行するＣＰＵ（不図示）を有する。制御部６２は、ハンドオーバ先の候補の情報を含むＭＲをＵＥから受信すると、ＭＲをＥＭＳサーバ１０ａに転送する。また、制御部６２は、ＥＭＳサーバ１０ａから通知される、ＨＯリストの更新情報にしたがって、記憶部６１が記憶するＨＯリストを更新する。また、制御部６２は、自局と隣接ｅＮＢとの間のＸ２リンクの確立および切断の状況に応じて、記憶部６１が記憶するＸ２情報を更新する。さらに、制御部６２は、自局とＸ２リンクを確立している相手のｅＮＢについての問い合わせがＥＭＳサーバ１０ａからあると、記憶部６１が記憶するＸ２情報を参照し、Ｘ２リンクを確立している隣接ｅＮＢの情報をＥＭＳサーバ１０ａに通知する。
Ｉ／Ｆ部６３は、隣接ｅＮＢ、ＥＭＳサーバ１０ａおよびＭＭＥ２１から受信する情報を制御部６２に送信し、制御部６２から受け取る情報を制御部６２の指示にしたがって隣接ｅＮＢ、ＥＭＳサーバ１０ａまたはＭＭＥ２１に送信する。
【００２７】
なお、制御部６２に設けられる演算処理デバイスはＣＰＵに限らず、ＤＳＰであってもよい。
【００２８】
次に、本実施形態のＬＴＥシステムの動作を説明する。
はじめに、ｅＮＢ５１とｅＮＢ５２との間でＳＣＴＰ（Stream Control Transmission Protocol）を用いて制御信号を送受信し、Ｘ２リンクを確立する場合の手順を説明する。
図５は図１に示したＬＴＥシステムにおける基地局間でＸ２リンクを確立する手順を示すシーケンスである。前提条件として、ｅＮＢは、自局が保有するＸ２情報に登録されていないｅＮＢからＳＣＴＰ ＩＮＩＴの要求があると、この要求を無視するものとする。
【００２９】
ステップ２０１において、ｅＮＢ５２がｅＮＢ５１にSCTP:INITを送信する。ｅＮＢ５１は、ｅＮＢ５２のＩＰアドレスが自局の記憶部６１が記憶するＸ２情報に登録されているか否かチェックする（ステップ２０２）。ここでは、ｅＮＢ５１が保有するＸ２情報にｅＮＢ５２のＩＰアドレスが登録されているものとする。ステップ２０２のチェックの後、ｅＮＢ５１は、ｅＮＢ５２にSCTP:INIT ACKを送信する（ステップ２０３）。
ｅＮＢ５２は、ｅＮＢ５１からSCTP:INIT ACKを受信すると、ｅＮＢ５１にSCTP:COOKIE ECHOを送信する（ステップ２０４）。ｅＮＢ５１は、ｅＮＢ５２からSCTP:COOKIE ECHOを受信すると、ｅＮＢ５２にSCTP:COOKIE ACKを送信する（ステップ２０５）。このようにして、ｅＮＢ５１とｅＮＢ５２との間にＸ２リンクが確立される（ステップ２０６）。
なお、ステップ２０２において、ｅＮＢ５２のＩＰアドレスがｅＮＢ５１が保有するＸ２情報に登録されていない場合、ｅＮＢ５１はｅＮＢ５２からのメッセージを無視し、何も処理をしない。
【００３０】
次に、ＥＭＳサーバ１０が不要なＸ２リンクを切断する手順を説明する。
図６は本実施形態のＥＭＳサーバが不要なＸ２リンクを切断する手順を示すフローチャートである。ここでは、ＥＭＳサーバ１０ａが、管理内ｅＮＢであるｅＮＢ５１とＸ２リンクを確立しているｅＮＢ５２がｅＮＢ５１のＨＯリストに含まれているか否かをチェックすることで、そのＸ２リンクを維持するか切断するかを判断する場合で説明する。
図６に示すステップ３０１において、ＥＭＳサーバ１０ａの制御部１２は、ｅＮＢ５１とｅＮＢ５２の間でＸ２リンクが確立されているか否かをチェックする。ｅＮＢ５１とｅＮＢ５２との間でＸ２リンクが確立されている場合、制御部１２は、ｅＮＢ５２がｅＮＢ５１のＨＯリストに含まれているか否かをチェックする（ステップ３０２）。
ステップ３０２の判定において、ｅＮＢ５２がｅＮＢ５１のＨＯリストに含まれていない場合、制御部１２は、ｅＮＢ５１とｅＮＢ５２の間のＸ２リンクを切断する（ステップ３０３）。一方、ステップ３０２の判定において、ｅＮＢ５２がｅＮＢ５１のＨＯリストに含まれている場合、制御部１２は、ｅＮＢ５１とｅＮＢ５２の間のＸ２リンクを維持する。なお、ステップ３０１の判定において、ｅＮＢ５１とｅＮＢ５２でＸ２リンクが確立されていない場合、制御部１２は、何も処理しない。
【００３１】
このようにして、ＥＭＳサーバは、自装置の管理内ｅＮＢにおいて、ハンドオーバ先の候補から除外されたｅＮＢの情報がＨＯリストから削除されたなどの理由で、不要となるＸ２リンクの検索および切断を行うことが可能となる。
【００３２】
本実施形態では、移動通信システムにおいて、ＳＯＮ機能によりＥＭＳサーバが管理しているｅＮＢとＸ２リンクを確立しているｅＮＢがＨＯリストに含まれているか否かをチェックすることにより、そのＸ２リンクを維持するか切断するかが判断される。ＨＯリストに登録されていないｅＮＢと確立しているＸ２リンクが存在する場合、ＳＯＮ機能によりそのＸ２リンクが自動的に削除される。その結果、無駄なＸ２リンクの確立が抑制され得る。
また、ｅＮＢ間で確立可能なＸ２リンクの本数に限りがあるため、既に確立されているＸ２リンクの中から無駄なＸ２リンクをＳＯＮ機能によって自動的に検索して切断することで、Ｘ２リンク／ＳＣＴＰリンクのためのリソースを節約することが可能となる。
さらに、無駄なＸ２リンクを削除することで、必要なＸ２リンクを新規に確立できるようになるため、Ｓ１リンク経由でのハンドオーバを減らすことができる。その結果、コアネットワークへの負担を軽減することが可能となる。
【００３３】
本実施形態は、上述したように、ＨＯリストに基づいて無駄なＸ２リンクか否かを判定している。このため、ＨＯリストに基づいてハンドオーバ発生回数をカウントする複雑な処理を必要とせず、特許文献１に開示された方法に比べて、ＥＭＳサーバの負荷が抑制される。また、特許文献１に開示された方法と比べて、次のような利点がある。
特許文献１に開示された方法では、ＨＯ発生回数を閾値と比較し、ＨＯ発生回数が閾値より小さいとＸ２リンクを切断する制御を行っている。そのため、ＨＯ発生回数が閾値よりも少ないｅＮＢから再度確立要求が来てＨＯ発生回数が閾値を越えると、Ｘ２リンクを確立することになる。ＨＯ発生回数が閾値を跨いで頻繁に増減するｅＮＢが存在すると、特許文献１に開示された方法では、Ｘ２リンクの切断→確立→切断→・・・が繰り返され、Ｘ２リンクのバタツキが発生し、ｅＮＢおよびＥＭＳサーバの負荷がきわめて高くなるおそれがある。
これに対して、本実施形態の移動通信システムでは、ＳＯＮ機能によってＨＯリストに登録されていない隣接ｅＮＢと接続しているＸ２リンクを削除するが、その一方で、ＨＯリストに新たに登録された隣接ｅＮＢとはＸ２リンクを確立する。つまり、削除されたＸ２リンクであってもＨＯリストに登録されればＵＥのＨＯ先としてＸ２リンクが必要になるため、Ｘ２リンクの確立が行われる。本実施形態では、「ＨＯリストに登録された」＝「ＨＯ先としてＸ２リンクが必要になった」ｅＮＢとしかＸ２リンクを確立しないので、上記のような、Ｘ２リンクのバタツキが発生することを抑制することが可能となる。
【００３４】
（第２の実施形態）
第２の例示的な実施形態は、第１の例示的な実施形態で説明したＥＭＳサーバのＳＯＮ機能をｅＮＢの制御部に組み込むものである。なお、本実施形態では、第１の実施形態と同様な構成についての詳細な説明が省略される。
本実施形態におけるｅＮＢの構成について、図４を参照して説明する。
本実施形態のｅＮＢには、図４に示す制御部６２に、第１の実施形態で説明したＳＯＮ機能が設けられている。ただし、他のｅＮＢのＨＯリストを収集する処理は必要ない。制御部６２は、記憶部６１が記憶するＨＯリストとＸ２情報を参照し、他のｅＮＢとの間で確立しているＸ２リンクが不要なＸ２リンクであるか否かを判定し、判定結果にしたがってＸ２リンクの切断または維持を決定する。
なお、本実施形態におけるｅＮＢの手順は図６を参照して説明した手順と同様になるため、その詳細な説明を省略する。
本実施形態では、第１の実施形態と同様な効果が得られるとともに、ＥＭＳサーバの負担を軽減することが可能となる。
【００３５】
（第３の実施形態）
第３の例示的な実施形態は、第１の例示的な実施形態で説明したＥＭＳサーバによる処理において、管理内ｅＮＢ間のＸ２リンクをチェックして不要なＸ２リンクを削除する際、両方のｅＮＢのＨＯリストのどちらにも含まれていないＸ２リンクのみを削除するものである。
なお、本実施形態では、第１の実施形態と同様な構成についての詳細な説明が省略される。また、本実施形態では、第１の実施形態と同様に、ｅＮＢ５１およびｅＮＢ５２がＥＭＳサーバ１０ａの管理内ｅＮＢである場合で説明する。また、ＥＭＳサーバがＥＭＳサーバ１０ａの場合の構成および動作を説明し、ＥＭＳサーバ１０ｂの場合の説明を省略する。
【００３６】
本実施形態のＥＭＳサーバの構成を説明する。
図２に示したＥＭＳサーバ１０ａのＳＯＮ機能に、Ｘ２リンクを確立しているｅＮＢ５１、５２において、ｅＮＢ５１のＨＯリストにｅＮＢ５２が登録されているか否かをチェックした後、ｅＮＢ５２のＨＯリストにｅＮＢ５１が登録されているか否かをチェックする機能が追加されている。
【００３７】
本実施形態のＥＭＳサーバの動作を説明する。図７は本実施形態のＥＭＳサーバの動作手順を示すフローチャートである。
図７は、ＥＭＳサーバ１０ａが、Ｘ２リンクを確立している管理内ｅＮＢであるｅＮＢ５１およびｅＮＢ５２が自局のＨＯリストに互いに相手を登録しているか否かをチェックすることで、そのＸ２リンクを維持するか切断するかを判断する場合を示す。
制御部１２はｅＮＢ５１とｅＮＢ５２との間にＸ２リンクが確立されているか否かをチェックする（ステップ４０１）。これら２つのｅＮＢ間にＸ２リンクが確立していると、制御部１２は、ｅＮＢ５２がｅＮＢ５１のＨＯリストに含まれているか否かをチェックする（ステップ４０２）。ステップ４０２の判定の結果、ｅＮＢ５２がｅＮＢ５１のＨＯリストに含まれていない場合、制御部１２は、ｅＮＢ５２が自装置の管理内ｅＮＢであるか否かをチェックする（ステップ４０３）。
ここでは、ｅＮＢ５２はＥＭＳサーバ１０ａの管理内ｅＮＢなのでステップ４０４に進み、制御部１２はｅＮＢ５１がｅＮＢ５２のＨＯリストに含まれているか否かをチェックする。ステップ４０４の判定の結果、ｅＮＢ５２がｅＮＢ５１のＨＯリストに含まれていない場合、制御部１２は、ｅＮＢ５１とｅＮＢ５２の間のＸ２リンクを切断する（ステップ４０５）。一方、ステップ４０４の判定の結果、ｅＮＢ５２がｅＮＢ５１のＨＯリストに含まれている場合、制御部１２は、ｅＮＢ５１とｅＮＢ５２の間のＸ２リンクを維持する。なお、ステップ４０２の判定の結果、ｅＮＢ５２がｅＮＢ５１のＨＯリストに含まれている場合も、制御部１２は、そのＸ２リンクを維持する。
【００３８】
本実施形態によれば、Ｘ２リンクを確立している２つの管理内ｅＮＢの両方において、互いに無駄なＸ２リンクと判断されるものだけを削除することが可能となる。
【００３９】
（第４の実施形態）
第４の例示的な実施形態は、第３の例示的な実施形態で説明したＥＭＳサーバによる処理において、Ｘ２リンクを確立しているｅＮＢが管理内ｅＮＢと管理外ｅＮＢである場合、管理外ｅＮＢが保有する隣接セル情報に管理内ｅＮＢが含まれているか否かをチェックする機能を追加するものである。これにより、管理内ｅＮＢと管理外ｅＮＢの両方のｅＮＢにとって無駄なＸ２リンクのみを削除するようにする。
なお、本実施形態では、第１の実施形態と同様な構成についての詳細な説明が省略される。また、本実施形態では、第１の実施形態と同様に、ｅＮＢ５１がＥＭＳサーバ１０ａの管理内ｅＮＢであり、ｅＮＢ５３がＥＭＳサーバ１０ａの管理外ｅＮＢである場合で説明する。また、ＥＭＳサーバがＥＭＳサーバ１０ａの場合の構成および動作を説明し、ＥＭＳサーバ１０ｂの場合の説明を省略する。
【００４０】
本実施形態のＥＭＳサーバ１０ａの構成について、図２を参照して説明する説明する。
本実施形態のＥＭＳサーバ１０ａには、制御部１２で実行されるＳＯＮ機能に、次の機能が追加されている。制御部１２は、管理内ｅＮＢ５１がＸ２リンクを確立している相手のｅＮＢが管理外ｅＮＢ５３であることを認識すると、管理外ｅＮＢ５３が保有する隣接セル情報を管理内ｅＮＢ５１経由で取得して記憶部１１で管理する。そして、制御部１２は、管理外ｅＮＢ５３の隣接セル情報に管理内ｅＮＢ５１が含まれているか否かを判定し、判定結果にしたがってＸ２リンクを維持するか切断するかを決定する。
【００４１】
管理外ｅＮＢが保有する隣接セル情報の構成を説明する。
管理外ｅＮＢの隣接セル情報には、その管理外ｅＮＢのハンドオーバ先となる基地局の情報が登録されている。この隣接セル情報は、管理外ｅＮＢをソースｅＮＢとし、管理内ｅＮＢをターゲットｅＮＢとしたときに、管理外ｅＮＢが管理内ｅＮＢに送信するＥＮＢ構成アップデート（ENB CONFIGURATION UPDATE）メッセージに含まれる情報である。ＥＮＢ構成アップデートメッセージは、非特許文献１の「第８．３．５章」に開示されており、そのメッセージの詳細は「第９．１．２．８章」に開示されているため、その詳細な説明を省略する。
図８は本実施形態のＥＭＳサーバに格納される隣接セル情報の一例を示す図である。
例えば、管理内ｅＮＢ５１が管理外ｅＮＢ５３からＥＮＢ構成アップデートメッセージを受信した後、ＥＭＳサーバ１０ａの制御部１２は、管理内ｅＮＢ５１から管理外ｅＮＢ５３のＥＮＢ構成アップデートメッセージを取得する。同様にして、制御部１２は、管理内ｅＮＢ５２からも管理外ｅＮＢのＥＮＢ構成アップデートメッセージを取得する。そして、制御部１２は、このようにして収集したメッセージの内容をまとめて図８に示す隣接セル情報を作成し、隣接セル情報を記憶部１１に格納して管理する。なお、制御部１２は、収集したメッセージを管理外ｅＮＢ毎に隣接セル情報として、そのまま記憶部１１に保存してもよい。
図８に示す隣接セル情報には、奉仕セル情報（Served Cell Info）と、隣接情報（Neighbor info）とが登録されている。隣接情報の欄の項目は、図３に示した隣接セル情報と同様なので、その詳細な説明を省略する。
図８に示す奉仕セル情報には、図３に示した奉仕セル情報におけるセルＩＤ、ＰＣＩおよびＴＡＣの項目の他にｐｌｍｎ ＩＤの項目が追加されている。ｐｌｍｎ ＩＤは、Public Land Mobile Networkの識別子である。
【００４２】
本実施形態のＥＭＳサーバの動作を説明する。図９は本実施形態のＥＭＳサーバの動作手順を示すフローチャートである。
図９は、ＥＭＳサーバ１０ａが、管理内ｅＮＢ５１とＸ２リンクを確立している管理外ｅＮＢ５３の隣接セル情報に、管理内ｅＮＢ５１が含まれているか否かをチェックすることで、そのＸ２リンクを維持するか切断するかを判断する場合を示す。
制御部１２はｅＮＢ５１とｅＮＢ５３との間にＸ２リンクが確立されているか否かをチェックする（ステップ５０１）。これら２つのｅＮＢ間にＸ２リンクが確立していると、制御部１２は、ｅＮＢ５３がｅＮＢ５１のＨＯリストに含まれているか否かをチェックする（ステップ５０２）。ステップ５０２の判定の結果、ｅＮＢ５３がｅＮＢ５１のＨＯリストに含まれていない場合、制御部１２は、ｅＮＢ５３が自装置の管理内ｅＮＢであるか否かをチェックする（ステップ５０３）。
ここでは、ｅＮＢ５３はＥＭＳサーバ１０ａの管理外ｅＮＢなのでステップ５０５に進み、制御部１２はｅＮＢ５１がｅＮＢ５３の隣接セル情報に含まれているか否かをチェックする。ステップ５０５の判定の結果、ｅＮＢ５１がｅＮＢ５３の隣接セル情報に含まれていない場合、制御部１２は、ｅＮＢ５１とｅＮＢ５３の間のＸ２リンクを切断する（ステップ５０６）。一方、ステップ５０５の判定の結果、ｅＮＢ５１がｅＮＢ５３の隣接セル情報に含まれている場合、制御部１２は、ｅＮＢ５１とｅＮＢ５３の間のＸ２リンクを維持する。なお、ステップ５０３の判定の結果、ｅＮＢ５３が自装置の管理内ｅＮＢである場合、それ以降の手順は図７に示した手順と同様になるので、その説明を省略する。
【００４３】
本実施形態によれば、Ｘ２リンクを確立している管理内ｅＮＢと管理外ｅＮＢにおいて、互いに無駄なＸ２リンクと判断されるものだけを削除することが可能となる。また、ＥＭＳサーバは、管理内ｅＮＢが管理外ｅＮＢと確立しているＸ２リンクについても無駄なものを削除することが可能となる。
【００４４】
なお、第３および第４の例示的な実施形態では、第１の例示的な実施形態を基にして説明したが、第３および第４の例示的な実施形態を第２の例示的な実施形態に適用してもよい。この場合、２つのｅＮＢは互いに自分のＨＯリストまたは隣接セル情報に相手が登録されているか否かを判定すればよく、図７に示すステップ４０３および図９に示すステップ５０３の処理はなくてもよい。
例示的な実施形態は、ＬＴＥシステムにおいて、ｅＮＢ間で確立できるＸ２リンクの本数が枯渇したとき、より有効である。
（第５の実施形態）
次に、第５の例示的な実施形態のＬＴＥシステムが示される。
本実施形態のｅＮＢ５１は、図６、７または９のＳＯＮ機能によりｅＮＢ５２とのＸ２リンクを切断した場合、ｅＮＢ５２のＩＰアドレスを一定期間記憶することができる。このSON機能により切断したIPアドレスの情報（以降、切断情報）は、上述したｅＮＢ５１の記憶部６１に記憶されてもよいし、他の記憶装置に記憶されてもよい。また、切断情報は、上述したＸ２情報に含めてもよいし、Ｘ２情報とは別に記憶されてもよい。また、ｅＮＢ５１は、上述した実施形態で示される構成も同様に有する。
また、ｅＮＢ５２とのＸ２リンクが切断された直後に、同じｅＮＢ５２からＳＣＴＰ ＩＮＩＴの接続要求がｅＮＢ５１に送信された場合、ｅＮＢ５１は、Ｘ２リンクの再接続を行わずに、この接続要求を無視できる。ｅＮＢ５１は、所定の期間、この接続要求を無視できる。
なお、上述した実施形態において、制御部６２は、自局と隣接ｅＮＢとの間のＸ２リンクの確立および切断の状況に応じて、記憶部６１が記憶するＸ２情報を更新する。
図１２は、図１に示したＬＴＥシステムにおける基地局間でＸ２リンクを確立する手順を示す。ｅＮＢ５１とｅＮＢ５２との間でＳＣＴＰ（Stream Control Transmission Protocol）を用いて制御信号を送受信することによって、Ｘ２リンクを確立する場合の手順が示される。
ステップ６０１において、ｅＮＢ５２がｅＮＢ５１にSCTP:INITを送信する。
ステップ６０２において、ｅＮＢ５１は、ｅＮＢ５２のＩＰアドレスが、SON機能により切断したIPアドレスの情報（以降、切断情報）に、登録されているか否かチェックする（ステップ６０２）。ここでは、ｅＮＢ５１が保有する切断情報にｅＮＢ５２のＩＰアドレスが登録されていないものとする。
ステップ６０３（ステップ６０２のチェックの後）において、ｅＮＢ５１は、ｅＮＢ５２にSCTP:INIT ACKを送信する。
ステップ６０４において、ｅＮＢ５２は、ｅＮＢ５１からSCTP:INIT ACKを受信すると、ｅＮＢ５１にSCTP:COOKIE ECHOを送信する。
ステップ６０５において、ｅＮＢ５１は、ｅＮＢ５２からSCTP:COOKIE ECHOを受信すると、ｅＮＢ５２にSCTP:COOKIE ACKを送信する。
このようにして、ｅＮＢ５１とｅＮＢ５２との間にＸ２リンクが確立される（ステップ６０６）。
なお、ステップ６０２において、ｅＮＢ５２のＩＰアドレスが切断情報に登録されている場合、ｅＮＢ５１はｅＮＢ５２からのメッセージを無視し、何も処理をしない。
本実施形態によれば、同じＸ２リンクの切断と接続を繰り返す不要な処理が低減できる。この結果として、Ｘ２リンクの切断と接続の繰りによる通信品質の劣化やｅＮＢへの負荷が低減できる。すなわち、不要なＸ２リンクの切断状態が維持されることで、Ｘ２リンクの切断と接続の繰りを抑制し、必要なＸ２リンクが確立できる可能性が向上できる。
なお、上述した実施形態の対象となる無線通信システムは、３ＧＰＰ  ＬＴＥ（Long Term Evolution）、３ＧＰＰ  Ｗ−ＣＤＭＡ（Wideband Code Division Multiple Access）、ＧＳＭ（登録商標）（Global System for Mobile communications）、ＷｉＭＡＸ（Worldwide interoperability for Microwave Access）等に適用可能であるが、これらに限定されない。
また、上記の無線通信システム及び無線通信端末は、ハードウェア、ソフトウェア又はこれらの組み合わせにより実現することができる。また、上記の無線通信システムの制御方法も、ハードウェア、ソフトウェア又はこれらの組み合わせにより実現することができる。ここで、ソフトウェアによって実現されるとは、コンピュータがプログラムを読み込んで実行することにより実現されることを意味する。
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。
非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Compact Disc - Read Only Memory）、ＣＤ−Ｒ（Compact Disc - Recordable）、ＣＤ−Ｒ／Ｗ（Compact Disc - Rewritable）、ＤＶＤ−ＲＯＭ（Digital Versatile Disc-ROM）、ＤＶＤ−Ｒ（Digital Versatile Disc - Recordable）、ＤＶＤ−Ｒ／Ｗ（Digital Versatile Disc - Rewritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory）)を含む。
また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
以上、実施形態を参照して本発明が説明されたが、本発明は上記実施形態に限定されるものではない。本発明の構成や詳細には、本発明のスコープ内で当業者が理解し得る様々な変更をすることができる。
この出願は、２０１４年６月６日に出願された日本出願特願２０１４−１１７４３０を基礎とする優先権を主張し、その開示の全てをここに取り込む。
【符号の説明】
【００４５】
１０ａ、１０ｂ    ＥＭＳサーバ
１１    記憶部
１２    制御部
１３    Ｉ／Ｆ部
５１〜５３    ｅＮＢ
【図１】
2015186277.tif 000003
【図２】
2015186277.tif 000004
【図３】
2015186277.tif 000005
【図４】
2015186277.tif 000006
【図５】
2015186277.tif 000007
【図６】
2015186277.tif 000008
【図７】
2015186277.tif 000009
【図８】
2015186277.tif 000010
【図９】
2015186277.tif 000011
【図１０】
2015186277.tif 000012
【図１１】
2015186277.tif 000013
【図１２】
2015186277.tif 000014
【手続補正書】
【提出日】平成28年11月21日(2016.11.21)
【手続補正２】
【補正対象書類名】特許請求の範囲
【補正対象項目名】請求項６
【補正方法】変更
【補正の内容】
【請求項６】
無線アクセスネットワークに接続される基地局を管理するコンピュータに、
自装置が管理する基地局である管理内基地局と無線接続する携帯端末のハンドオーバ先となる基地局が登録されたリストであるハンドオーバリストを読み出す手順と、
基地局間の通信リンクである局間リンクを前記管理内基地局と確立している他の基地局が前記ハンドオーバリストに登録されているか否かを判定することで、確立されている局間リンクを維持するか切断するかを決定する手順を実行させるためのプログラム。
【国際調査報告】
2015186277.tif 000015
2015186277.tif 000016